(57)【要約】  本願はＸ線管用の回転陽極を記載し、該陽極は第１の電子ビームによって衝突されるように構成される第１のユニット９０１と、少なくとも第２の電子ビームによって衝突されるように構成される少なくとも第２のユニット９０２とを有し、第１のユニットと少なくとも第２のユニットは互いに電気的に絶縁される。さらに、本願はＸ線システムを記載し、該システムは明細書に記載の陽極と、電子ビームを発生させるための主陰極であって、第１の電位を発生させるように構成される主陰極と、第２の電位に影響を与えるための補助陰極とを有し、主陰極は補助陰極を加熱するために電子ビームを偏向させるように構成される。さらに本願は、明細書に記載の陽極上への電子ビームの衝突点を検出することによって、及び／又は、明細書に記載の陽極から発する放射のＸ線スペクトルを検出することによって、電位を決定するための装置を示し、電子ビームは陰極によって発生され、電子ビームは衝突点において陽極の第１のユニットに衝突し、電子ビームは偏向されることができ、偏向された電子ビームは衝突点において陽極の第２のユニットに衝突し、第１のユニット及び／又は第２のユニットは放射を放出する。
2012510137.tif 000002
【特許請求の範囲】
【請求項１】
Ｘ線管用の回転陽極であって、前記陽極は
第１の電子ビームによって衝突される第１のユニットと、
少なくとも第２の電子ビームによって衝突される少なくとも第２のユニットとを有し、
前記第１のユニットと前記少なくとも第２のユニットが互いに電気的に絶縁される、陽極。
【請求項２】
前記第１のユニットが前記陽極の円環の第１の部分であり、前記少なくとも第２のユニットが前記陽極の前記円環の少なくとも第２の部分である、請求項１に記載の陽極。
【請求項３】
前記第１のユニットが第１の円環であり、前記少なくとも第２のユニットが少なくとも第２の円環であり、前記第１の円環と前記少なくとも第２の円環が少なくとも追加円環によって分離され、前記追加円環が非導電性である、請求項１に記載の陽極。
【請求項４】
前記第１のユニットが前記第１の電位を持ち、前記少なくとも第２のユニットが少なくとも第２の電位を持ち、前記第１の電位と前記少なくとも第２の電位が異なるように前記陽極が構成される、請求項１乃至３のいずれか一項に記載の陽極。
【請求項５】
前記第１のユニットが前記第１の電子ビームによって衝突されるための第１の面を持ち、前記少なくとも第２のユニットが前記第２の電子ビームによって衝突されるための少なくとも第２の面を持ち、前記第１の面が前記少なくとも第２の面よりも小さい、請求項１乃至４のいずれか一項に記載の陽極。
【請求項６】
前記第１のユニットが第１の電位を持ち、前記少なくとも第２のユニットが少なくとも第２の電位を持ち、前記第１の電位の絶対値が前記少なくとも第２の電位の絶対値よりも高い、請求項５に記載の陽極。
【請求項７】
請求項１乃至６のいずれか一項に記載の陽極と相互作用する主陰極であって、前記主陰極は前記第１の電子ビームと前記第２の電子ビームを発生させ、前記主陰極は前記第２の電子ビームを発生させるために前記第１の電子ビームを偏向させるための手段を有する、主陰極。
【請求項８】
請求項１乃至６のいずれか一項に記載の陽極と相互作用する補助陰極であって、前記補助陰極は前記第２の電位に影響を与え、前記補助陰極は前記第２の電子ビームによって加熱され、前記補助陰極は請求項７に記載の主陰極と相互作用し、前記第２の電子ビームは前記第１の電子ビームの偏向によって前記主陰極によって発生される、補助陰極。
【請求項９】
Ｘ線システムであって、
請求項１乃至６のいずれか一項に記載の陽極と、
電子ビームを発生させるための主陰極であって、第１の電位を発生させる主陰極と、
第２の電位に影響を与えるための補助陰極とを有し、前記主陰極は前記補助陰極を加熱するために前記電子ビームを偏向させる、Ｘ線システム。
【請求項１０】
前記主陰極は前記電子ビームのギャップの遷移中に前記電子ビームを偏向させ、前記ギャップは前記陽極の前記第１のユニットと前記少なくとも第２のユニットの間に配置される、請求項９に記載のＸ線システム。
【請求項１１】
前記第１のユニットが外部電源によって供給される電位に接続され、前記少なくとも第２のユニットが前記補助陰極に接続される、請求項９又は１０のいずれか一項に記載のＸ線システム。
【請求項１２】
請求項１乃至６のいずれか一項に記載の陽極上への電子ビームの衝突点を検出することによって、及び／又は、請求項１乃至６のいずれか一項に記載の陽極から発する放射のＸ線スペクトルを検出することによって、電位を決定するための装置であって、前記電子ビームは陰極によって発生され、前記電子ビームは前記衝突点において前記陽極の前記第１のユニットに衝突し、前記電子ビームは偏向されることができ、前記偏向された電子ビームは前記衝突点において前記陽極の前記第２のユニットに衝突し、前記第１のユニット及び／又は第２のユニットは前記放射を放出する、装置。
【請求項１３】
請求項８に記載の補助陰極の加熱を調節するための装置であって、前記補助陰極の加熱を制御する装置。
【請求項１４】
請求項９乃至１１のいずれか一項に記載のＸ線システムの前記第１の電位と前記第２の電位を接続又は絶縁する、電位を切り替えるための装置。
【請求項１５】
請求項９乃至１１のいずれか一項に記載のＸ線システムの電子ビームを偏向させるための装置であって、前記装置は、請求項１乃至６のいずれか一項に記載の陽極の前記第１のユニットに前記電子ビームを向ける、装置。
【発明の詳細な説明】
【技術分野】
【０００１】
本発明はＸ線管装置用の回転陽極と主陰極に関し、主陰極は陽極と相互作用するように構成される。さらに、本発明は、陽極と相互作用するように構成される補助陰極、Ｘ線システム、電位を決定するための装置、補助陰極の加熱を調節するための装置、電位を切り替えるための装置、及びＸ線システムの電子ビームを偏向させるための装置に関する。
【背景技術】
【０００２】
多重Ｘ線光子エネルギー（"Ｘ線カラー"）の使用はＸ線像の診断価値を高める。通常は標準Ｘ線管が使用され、高電圧は変更されている。
【発明の概要】
【発明が解決しようとする課題】
【０００３】
理想的に、高エネルギー期間と低エネルギー期間のパルス時間は検出器の積分期間の範囲、例えばＣＴスキャナの場合は２００μｓであるはずである。十分に高いデューティサイクルと光子束を得るために、遷移時間はこのごくわずかである必要がある。しかし実際には、高電圧ケーブルの容量は放電をゆっくりした過程にする。短いパルスは相応の努力ではほとんど達成されることができない。さらに、Ｘ線フィルタが同期して切り替えられるべきできある。
【課題を解決するための手段】
【０００４】
本発明にかかる陽極はバルク陽極材料を有し、これは例えばＳｉＣセラミックで作られる放射状穴あき絶縁体を持つ。ＳｉＣはＴ＜１０００Ｃにおいて高電気抵抗率を持ち、軽量で、高降伏強度を持つ。従って、ＳｉＣは陽極材料として適している。代替案は例えばＳｉＮである。各セグメントの焦点軌道は例えばＷｏｌｆｒａｍ又はＲｈｅｎａｎｉｕｍで被覆され、一次電子ビームからの電子の衝突時にＸ線を発生させ、その自身の高電位差を持つ。スリットとバルク材料が絶縁のために配置される。一部のセグメントは高エネルギー光子を発生させ、陽極ベアリングを通して高電圧発生器のプラス電極に接続される。他のセグメントは互いにも接続される（"プリント回路"）。それらの電位は浮遊し、陰極電位に近い。電位は、セグメント遷移中に一時的にそれに向かって偏向される電子ビームによって加熱される、例えば熱イオンエミッタを用いて、一次電子ビーム及び制御可能導体における自己充電によってプラス電極へ与えられる。
【０００５】
本発明の第１の態様によれば、Ｘ線管用の回転陽極が提供され、陽極は第１の電子ビームによって衝突されるように構成される第１のユニットと、少なくとも第２の電子ビームによって衝突されるように構成される少なくとも第２のユニットとを有し、第１のユニットと少なくとも第２のユニットは互いに電気的に絶縁される。
【０００６】
本発明によれば、陽極は、異なるエネルギーを持つＸ線放射を発生させるために異なる電位を持つ異なる部分に電気的に分離される。本発明の配置により、異なる電位間で陽極を切り替えることなく異なるエネルギーを持つＸ線放射を供給することが可能である。この可能性は異なるＸ線放射の非常に迅速な変化があるという効果につながる。従って、一定時間中により多くの像を生成することが可能であり、これは検査中の患者の診断の可能性を高める。
【０００７】
本発明によれば、陽極セグメントのＸ線発生最上層は材料Ａ及びＢ又はそれらの混合物から成る。材料は異なる原子番号Ｚを持ち、荷電粒子（すなわち電子）の衝突時に異なる特性Ｘ線スペクトルを発生させる。
【０００８】
本発明の第２の態様によれば、主陰極が提供され、主陰極は請求項１乃至６の１つにかかる陽極と相互作用するように構成され、主陰極は第１の電子ビームと第２の電子ビームを発生させるように構成され、主陰極は第２の電子ビームを発生させるために第１の電子ビームを偏向させるための手段を有する。
【０００９】
本発明のＸ線管の主陰極は主陰極から発する電子ビームを偏向させるための手段を持つ。これはビームを陽極の異なる部分に向ける可能性をもたらす。従って、異なるＸ線放射を放出するために陽極の分離した異なる部分が衝突されることができる。
【００１０】
本発明の第３の態様によれば、補助陰極が提供され、補助陰極は請求項１乃至６の１つにかかる陽極と相互作用するように構成され、補助陰極は第２の電位に影響を与えるように構成され、補助陰極は第２の電子ビームによって加熱されるように構成され、補助陰極は請求項７に記載の主陰極と相互作用するように構成され、第２の電子ビームは第１の電子ビームの偏向によって主陰極によって発生される。
【００１１】
本発明の概念は補助陰極を有し、これは熱伝導リング上に塗布され、主陰極によって放出される部分的に偏向される一次ビームによって加熱される（偏向の量は補助陰極の温度と放射を制御する）。
【００１２】
本発明の第４の態様によれば、Ｘ線システムが提供され、
該システムは、請求項１乃至６の１つにかかる陽極と、電子ビームを発生させるための主陰極であって、第１の電位を発生させるように構成される主陰極と、第２の電位に影響を与えるための補助陰極とを有し、主陰極は補助陰極を加熱するために電子ビームを偏向させるように構成される。
【００１３】
本発明の第５の態様によれば、請求項１乃至６の１つにかかる陽極上への電子ビームの衝突点を検出することによって、及び／又は、請求項１乃至６の１つにかかる陽極から発する放射のＸ線スペクトルを検出することによって、電位を決定するための装置が提供され、電子ビームは陰極によって発生され、電子ビームは衝突点において陽極の第１のユニットに衝突し、電子ビームは偏向されることができ、偏向された電子ビームは衝突点において陽極の第２のユニットに衝突し、第１のユニット及び／又は第２のユニットは放射を放出する。
【００１４】
セグメントからセグメントへと飛び移るとき、焦点は一時的に方位角に（ａｚｉｍｕｔｈａｌｌｙ）偏向される（セグメント間の電場）。偏向の量は電場の尺度であり、従って低エネルギーセグメントのポテンシャルである。この情報は補助陰極の放射を制御するために使用されることができ、これによってその電位を制御するために使用されることができる。評価する別の可能性は、低エネルギーセグメントから放出される一次Ｘ線のスペクトルであり得る（強くフィルタされたＸ線強度と弱くフィルタされたＸ線強度の比）。
【００１５】
所望の電流は、一次電子電流、陽極絶縁体を通るリーク電流、及び高温焦点軌道からの自己放射の間の差である。放射は電圧信号の閉ループフィードバックに従って調節される必要がある。電圧信号は高エネルギーセグメントから低エネルギーセグメントへの移動中の焦点偏向から、あるいは低エネルギーにおけるＸ線スペクトルから導き出され得る。
【００１６】
本発明の第６の態様によれば、請求項８にかかる補助陰極の加熱を調節するための装置が提供され、該装置は補助陰極の加熱を制御するように構成される。
【００１７】
本発明の第７の態様によれば、電位を切り替えるための装置が提供され、該装置は請求項９乃至１１の１つにかかるＸ線システムの第１の電位と第２の電位を接続又は絶縁するように構成される。単一エネルギーモード（多目的管）における操作のため、浮遊セグメントは制御可能スイッチを用いて（例えば加熱バイメタル又は磁気制御を用いて）プラス電極へ短絡され得る。
【００１８】
本発明の第８の態様によれば、請求項９乃至１１の１つにかかるＸ線システムの電子ビームを偏向させるための装置が提供され、該装置は請求項１乃至６の１つにかかる陽極の第１のユニットに電子ビームを向けるように構成される。
【００１９】
さらなる実施形態は従属請求項に組み込まれる。
【００２０】
例示的な実施形態によれば陽極が提供され、第１のユニットは陽極の円環の第１の部分であり、少なくとも第２のユニットは陽極の円環の少なくとも第２の部分である。
【００２１】
別の例示的な実施形態によれば陽極が提供され、第１のユニットは第１の円環であり少なくとも第２のユニットは少なくとも第２の円環であり、第１の円環と少なくとも第２の円環は少なくとも追加円環によって分離され、追加円環は非導電性である。
【００２２】
さらなる例示的な実施形態によれば陽極が提供され、陽極は、第１のユニットが第１の電位を持ち、少なくとも第２のユニットが少なくとも第２の電位を持ち、第１の電位と少なくとも第２の電位が異なるように、構成される。
【００２３】
別の例示的な実施形態によれば陽極が提供され、第１のユニットは第１の電子ビームによって衝突されるための第１の面を持ち、少なくとも第２のユニットは第２の電子ビームによって衝突されるための少なくとも第２の面を持ち、第１の面は少なくとも第２の面よりも小さい。
【００２４】
低エネルギーセグメントＳｌからよりも高エネルギーセグメントＳｈからの方がずっと多くの光子束がある。従って、高Ｘ線エネルギーセグメント及び低Ｘ線エネルギーセグメントから生じる同じ総量のエネルギーを持つために、Ｓｈの幅を犠牲にして絶縁ギャップが切り取られる。
【００２５】
例示的な実施形態によれば陽極が提供され、第１のユニットは第１の電位を持ち、少なくとも第２のユニットは少なくとも第２の電位を持ち、第１の電位の絶対値は少なくとも第２の電位の絶対値よりも高い。
【００２６】
さらなる例示的な実施形態によればＸ線システムが提供され、主陰極は電子ビームのギャップの遷移中に電子ビームを偏向させるように構成され、ギャップは陽極の第１のユニットと少なくとも第２のユニットの間に配置される。ギャップ遷移中に、一次電子ビームは偏向され、補助陰極を加熱する。偏向と加熱の量は所定電圧における放出電流を制御し、低エネルギーセグメントＳｌの電位制御をもたらす。
【００２７】
別の例示的な実施形態によればＸ線システムが提供され、第１のユニットは外部電源によって供給される電位に接続され、少なくとも第２のユニットは補助陰極に接続される。別の実施形態は、管の外部から少なくとも第２のユニットへの追加電圧源と追加絶縁体を利用する。これは異なる放射スペクトルを持つＸ線を発生させるより多くの可能性を可能にする。
【００２８】
上記特徴はまた組み合わされてもよいことに留意すべきである。上記特徴の組み合わせはまた、詳細に明記されなくても、相乗効果をももたらし得る。
【００２９】
本発明のこれらの及び他の態様は以下に記載の実施形態から明らかとなり、それらを参照して説明される。
【００３０】
本発明の例示的な実施形態は次の図面を参照して以下に記載される。
【図面の簡単な説明】
【００３１】
【図１】Ｘ線管を持つＸ線システムを示す。
【図２】Ｘ線管を示す。
【図３】陽極を示す。
【図４】陽極の一部を概略的に描く。
【図５】Ｘ線管を概略的に描く。
【図６】陽極の一部を概略的に描く。
【図７】Ｘ線管を等価回路図として示す。
【図８】補助陰極の放射特性を示す。
【図９】陽極を概略的に示す。
【図１０】デュアルジェネレータの実施形態を示す。
【図１１】同心焦点軌道の一実施形態を示す。
【図１２】焦点軌道の一実施形態を示す。
【図１３】陽極を概略的に示す。
【図１４】Ｘ線管を概略的に描く。
【図１５】Ｘ線管を示す。
【発明を実施するための形態】
【００３２】
図１は、Ｘ線の扇ビーム１０４を発生させる、検査中の患者１０１の周りを回転している陽極を有するＸ線管１０３を描く。その反対側でそれとともにガントリ上を検出システム１０２が回転し、これは減衰Ｘ線を電気信号へ変換する。コンピュータシステムは患者の内部形態の画像を再構成する。
【００３３】
図２は電子ビーム発生Ｘ線によって衝突される陽極２０１を有するＸ線管を示す。
【００３４】
図３はＸ線管用の陽極を概略的に示し、陽極は焦点軌道３０３，３０５を有する。これらの焦点軌道３０３，３０５は絶縁スリット３０２によって電気的に分離される。陽極はその中心３０４の周りを回転する。さらに、例えば高エネルギーセグメント上に示される焦点３０１が描かれる。
【００３５】
図４は陽極の一部の略図を示し、陽極はまっすぐに描かれる。低エネルギーを持つ陽極の部分４０１と高エネルギーを持つ陽極の部分４０２が示される。これらの異なる部分４０１，４０２はギャップ４０３によって電気的に分離される。低エネルギーセグメント４０１からよりも高エネルギーセグメント４０２からの方がずっと多くの流束がある。この差を補うために、セグメント４０１はセグメント４０２よりも大きい。従って典型的には、絶縁ギャップ４０３はセグメント４０２の幅を犠牲にして切り取られる。Ｘ線エネルギー／光子束が描かれ、長時間４０４の間に低Ｘ線エネルギーがあり、短時間４０５の間に高Ｘ線エネルギーがあり、ギャップ４０６の電子ビーム４０７の遷移中はＸ線エネルギーがない。
【００３６】
図５は、補助電子放射５０５を放出する補助陰極５０１を有する本発明にかかるＸ線管を概略的に示す。主陰極５０３は一次電子ビーム５０４を放出し、この一次電子ビームは偏向されることができる（５０２）。補助陰極５０１は偏向された一次電子ビーム５０２によって衝突される。典型的には、補助陰極５０１は熱伝導リング、例えばＣｆＣによって被覆され、補助陰極５０１は部分的に偏向された一次ビームによって加熱され、偏向の量が温度と放射を制御する。低エネルギーセグメントへの接点５０６及び高エネルギーセグメントへの接点５０７、ベアリング５０８、ベアリング軸５０９、及び管フレーム５１０が示される。
【００３７】
図６は陽極セグメントをまっすぐに示し、低Ｘ線エネルギー／光子束を持つ大きい方のセグメント６０３と、高Ｘ線エネルギー／光子束を持つ小さい方のセグメント６０５がある。まっすぐな陽極セグメントに沿って異なるレベルのＸ線エネルギーが示され、異なるセグメントによって放出される総エネルギーを等しくするために、大きい方のセグメントは小さい方のセグメント６０７よりも低いＸ線エネルギー６０６を持つ。これらの領域６０６，６０７の間に、ギャップ遷移のゼロエネルギーレベル６０８がある。さらに、電子ビームの軌道６０１とセグメントの正面６０４が描かれている。ピーク６０２を持つスペクトル図６０８，６０９もあり、スペクトル６０９は低Ｘ線エネルギーセグメント６０３に属し、スペクトル６１０は高Ｘ線エネルギーセグメント６０５に属する。
【００３８】
図７は本発明にかかるＸ線管の等価回路図を示す。主陰極７０１が描かれ、その電子ビーム７０９は陽極の一部分７０３へ偏向されることができる（７１０）。主電子ビーム７０９は陽極の別の部分７０２へ向けられる。さらに、陽極の異なる部分７０２，７０３は電位の異なる値を持ち、陽極の部分７０３の電位７０７は制御可能（磁気又は熱）スイッチ７０４によって陽極の他の部分の電位７０８に接続されることができる。制御可能抵抗器７０５として補助電子放射システムが描かれる。さらに、温度依存陽極絶縁体リーク電流と、焦点からの温度依存自己放射が、電流源７０６の記号を用いて描かれる。
【００３９】
図８は制御可能抵抗器として描かれる補助電子放射システムを示し、上昇する温度に沿って、電流の高電圧レベル８０３、所望電圧レベル８０２、及び低電圧レベル８０１が描かれる。
【００４０】
図９は本発明の概念にかかる陽極を示し、陽極は高エネルギーセグメント９０１と低エネルギーセグメント９０２に分けられ、これらは陽極の外円環に沿って配置される。異なるセグメント９０１，９０２は異なる電位を持ち、従ってこれらは絶縁素子によって電気的に分離されなければならない。異なるセグメント９０１，９０２は絶縁領域９０３によって分離される。異なるセグメント９０１，９０２上に発射される電子ビーム９０５の焦点軌道（高温）が示される。さらに、典型的にはらせん溝付きベアリングであるヒートシンク９０４、及び熱の場の流線９０６が描かれる。
【００４１】
図１０は一次電子ビーム１００２を発生させるための陰極１００１を有するＸ線管を示す。さらに、低エネルギーセグメントの焦点軌道への接点１００３と高エネルギーセグメントの焦点軌道への接点１００４が描かれる。さらに、第１のベアリング軸１００８、電流接触をもたらす第１のベアリング１００９、第２のベアリング１００５及び第２のベアリング軸１００６が示される。さらに、軸の２つの部分を分離するための固定絶縁体１０１０と、例えば陽極ディスクである回転絶縁体１０１１が描かれる。さらに、管フレーム１００７が描かれる。
【００４２】
図１１は陰極１１０１と放射偏向のための手段１１０２とを有するＸ線管を示す。これらの放射偏向のための手段１１０２は、陽極の第１のユニット１１１６を加熱する代わりに陽極の第２のユニット１１１５が加熱されるように電子ビーム１１０３を偏向させる可能性をもたらす。低Ｘ線エネルギー発生軌道への接点１１０５、高Ｘ線エネルギー発生軌道への接点１１０６、第１のベアリング軸１１１４、電流接触のための第１のベアリング１１１３、第２のベアリング１１０７、及び第２のベアリング軸１１０８もまた描かれる。さらに、軸の２つの部分を分離する固定絶縁体１１１２、例えば陽極ディスクである回転絶縁体１１１０、及び絶縁ギャップ１１１１が描かれ、ギャップは低温領域の下にある狭い電流路である。Ｘ線ビームエネルギーは電子ビームの高速放射偏向によって切り替えられる。ビームは低電位軌道又は高電位軌道のいずれかに衝突する。さらに、管フレーム１１０９が描かれる。
【００４３】
図１２は本発明にかかる陽極を示し、複数の円環が描かれ、外円環１２０７は第１の軌道１２０６に沿って第１の電子ビームによって衝突され、第１の軌道は高Ｘ線エネルギー発生軌道である。電子ビームは内円環１２０８に衝突するために例えば線１２０３に沿って偏向されることができ、内円環１２０８は低Ｘ線エネルギー発生軌道である円１２０５に沿って衝突される。さらに、ヒートシンク１２０４、例えばらせん溝付きベアリングが示される。外円環１２０７及び内円環１２０８は絶縁円環１２０１（絶縁ギャップ）によって分離される。さらに、前後偏向の軌道１２０３と焦点１２０２が描かれる。
【００４４】
図１３は本発明にかかる陽極を示し、ヒートシンク１３０３、陽極の部分１３０１、及び絶縁ギャップ１３０２が描かれる。
【００４５】
図１４は本発明の概念にかかるＸ線管を示し、陽極１４０１が描かれる。
【００４６】
図１５は本発明の概念にかかるＸ線管を示し、回転絶縁体、接地端１５０２及び固定絶縁体１５０３（＋端）が描かれる。
【００４７】
本発明の概念の利点は、外部高電圧スイッチが必要ないという事実である。従って、本発明の概念は比較的短いパルス及び遷移期間の可能性をもたらす。さらに、明確に定義されたＸ線エネルギーレベルと多重エネルギーレベルが可能である。
【００４８】
本発明によれば例えば１００ｍ／ｓの陽極軌道速度（１８０Ｈｚ，２００ｍｍ）、軌道長（パルス長）低エネルギー：２０ｍｍ（２００μｓ）が可能である。典型的には、６０ｋＶ，４０ｋＶの電位を持つセグメントの部分がある。絶縁ギャップは４ｍｍ乃至６ｍｍの範囲であることができ、軌道長／パルス長は８ｍｍ乃至１２ｍｍ（８μｓ／１２０μｓ）の範囲であることができる。遷移時間は４０μｓ乃至６０μｓの範囲であることができる。
【００４９】
'有する'という語は他の要素又はステップを除外せず、'ａ'又は'ａｎ'は複数を除外しないことに留意すべきである。異なる実施形態に関して記載される要素は組み合わされてもよい。
【００５０】
請求項における参照符号は請求項の範囲を限定するものと解釈されてはならないことに留意すべきである。
【符号の説明】
【００５１】
１０１  患者
１０２  検出システム
１０３  管
１０４  Ｘ線の扇ビーム
２０１  陽極
３０１  焦点
３０２  絶縁スリット
３０３  焦点軌道
３０４  中心
３０５  焦点軌道
４０１  陽極の部分
４０２  部分
４０３  ギャップ
４０４  期間
４０５  期間
４０６  ギャップ
４０７  電子ビーム
５０１  補助陰極
５０２  電子ビーム
５０３  主陰極
５０４  電子ビーム
５０５  補助電子放射
５０６  セグメント
５０７  セグメント
５０８  ベアリング
５０９  ベアリング軸
５１０  管フレーム
６０１  電子ビームの軌道
６０２  スペクトルのピーク
６０３  セグメント
６０４  セグメントの部分
６０５  セグメント
６０６  エネルギーレベル
６０７  エネルギーレベル
６０８  エネルギーレベル
６０９  スペクトル
６１０  スペクトル
７０１  主陰極
７０２  陽極
７０３  陽極の部分
７０４  スイッチ
７０５  制御可能抵抗器
７０６  電流源
７０７  電位
７０８  電位
７０９  電子ビーム
７１０  電子ビーム
８０１  低電圧レベル
８０２  所望電圧レベル
８０３  高電圧レベル
９０１  セグメント
９０２  セグメント
９０３  絶縁領域
９０４  ヒートシンク
９０５  電子ビーム
９０６  場の流線
１００１  陰極
１００２  電子ビーム
１００３  セグメント
１００４  セグメント
１００５  ベアリング
１００６  ベアリング軸
１００７  管フレーム
１００８  ベアリング軸
１００９  ベアリング
１０１０  絶縁体
１０１１  絶縁体
１１０１  陰極
１１０２  偏向のための手段
１１０３  電子ビーム
１１０４  電子ビーム
１１０５  接点
１１０６  接点
１１０７  ベアリング
１１０８  ベアリング軸
１１０９  管フレーム
１１１０  絶縁体
１１１１  ギャップ
１１１２  絶縁体
１１１３  ベアリング
１１１４  ベアリング軸
１１１５  陽極
１２０１  円環
１２０２  焦点
１２０３  焦点軌道
１２０４  ヒートシンク
１２０５  円
１２０６  軌道
１２０７  円環
１２０８  円環
１３０１  陽極
１３０２  ギャップ
１３０３  ヒートシンク
１４０１  陽極
１５０１  絶縁体
１５０２  接地端
１５０３  絶縁体
【図１】
2012510137.tif 000003
【図２】
2012510137.tif 000004
【図３】
2012510137.tif 000005
【図４】
2012510137.tif 000006
【図５】
2012510137.tif 000007
【図６】
2012510137.tif 000008
【図７】
2012510137.tif 000009
【図８】
2012510137.tif 000010
【図９】
2012510137.tif 000011
【図１０】
2012510137.tif 000012
【図１１】
2012510137.tif 000013
【図１２】
2012510137.tif 000014
【図１３】
2012510137.tif 000015
【図１４】
2012510137.tif 000016
【図１５】
2012510137.tif 000017
【国際調査報告】
2012510137.tif 000018
2012510137.tif 000019
2012510137.tif 000020